(57)【要約】【課題】次世代地上放送の信号における占有帯域幅を、設備の大幅な変更を伴うことなく簡易に拡張する。【解決手段】変調装置１０−１のＴＭＣＣ信号生成部２２−１は、帯域幅５．５７ＭＨｚまたは５．５７＋αＭＨｚの帯域情報を含むＴＭＣＣ信号を生成する。フレーム化部２３−１は、データキャリア等を、ＴＭＣＣ信号に含まれる帯域情報が示す帯域幅５．５７ＭＨｚまたは５．５７＋αＭＨｚにおける所定のキャリア位置及びシンボル位置に設定し、ＯＦＤＭフレームを生成する。フィルタ２６−１は、時間領域信号に対し、ＴＭＣＣ信号に含まれる帯域情報が示す帯域幅５．５７ＭＨｚまたは５．５７＋αＭＨｚのフィルタ処理を施すことで、帯域外不要輻射成分を除去し、ＩＦ信号を出力する。【選択図】図４
2018014679.tif 000002
【特許請求の範囲】
【請求項１】
ＩＳＤＢ−Ｔの放送方式の帯域幅を第１の帯域幅とし、次世代の放送方式の帯域幅を前記第１の帯域幅よりも広い第２の帯域幅とし、前記次世代の放送方式により前記第１の帯域幅の帯域または前記第２の帯域幅の帯域を用いてＯＦＤＭ信号を送信するＯＦＤＭ信号送信装置であって、
送信対象の信号に対し、前記次世代の放送方式に適用する誤り訂正符号化処理を施す誤り訂正符号化部と、
前記誤り訂正符号化部により誤り訂正符号化処理が施された前記信号に対し、前記次世代の放送方式に適用するキャリア変調を施し、データキャリアを生成するキャリア変調部と、
前記第１の帯域幅の帯域情報または前記第２の帯域幅の帯域情報を含む制御信号を生成する制御信号生成部と、
前記制御信号生成部により生成された前記制御信号に含まれる前記帯域情報が前記第１の帯域幅の場合、前記キャリア変調部により生成された前記データキャリアを、前記第１の帯域幅の所定のキャリア位置に設定し、前記第１の帯域幅のＯＦＤＭフレームを生成し、前記帯域情報が前記第２の帯域幅の場合、前記データキャリアを、前記第２の帯域幅の所定のキャリア位置に設定し、前記第２の帯域幅のＯＦＤＭフレームを生成するフレーム化部と、
前記フレーム化部により生成された前記ＯＦＤＭフレームの信号に対しＩＦＦＴを施し、周波数領域信号を時間領域信号に変換するＩＦＦＴ部と、
前記ＩＦＦＴ部により変換された前記時間領域信号にＧＩを付加するＧＩ付加部と、
前記制御信号生成部により生成された前記制御信号に含まれる前記帯域情報が前記第１の帯域幅の場合、前記ＧＩ付加部により前記ＧＩが付加された前記時間領域信号に対し、前記第１の帯域幅のフィルタ処理を施し、前記帯域情報が前記第２の帯域幅の場合、前記ＧＩが付加された前記時間領域信号に対し、前記第２の帯域幅のフィルタ処理を施すフィルタと、
を備えたことを特徴とするＯＦＤＭ信号送信装置。
【請求項２】
請求項１に記載のＯＦＤＭ信号送信装置において、
全てのチャンネルにて、前記次世代の放送方式により前記第１の帯域幅の帯域を用いて前記ＯＦＤＭ信号を送信し、
その後に、前記全てのチャンネルにて、前記次世代の放送方式により前記第２の帯域幅の帯域を用いて前記ＯＦＤＭ信号を送信する、ことを特徴とするＯＦＤＭ信号送信装置。
【請求項３】
請求項１または２に記載のＯＦＤＭ信号送信装置において、
前記ＯＦＤＭ信号が地域毎の送信所から送信される場合に、反復符号化部、前記ＩＦＦＴ部、前記ＧＩ付加部及び前記フィルタを、前記地域毎に備えており、
前記制御信号生成部は、
前記地域毎の前記帯域情報、及び前記第１の帯域幅の端の信号をコピーするか否かのコピー有りまたはコピー無しを示す前記地域毎のコピー情報を含む制御信号を生成し、
前記反復符号化部は、
前記制御信号生成部により生成された前記制御信号に含まれる当該地域の前記コピー情報が前記コピー有りの場合、前記フレーム化部により生成された前記第１の帯域幅のＯＦＤＭフレームに対し、前記第１の帯域幅の帯域における所定の端領域の信号をコピーすることで反復符号化処理を施し、前記第２の帯域幅のＯＦＤＭフレームに拡張し、前記第２の帯域幅のＯＦＤＭフレームを出力し、
当該地域の前記コピー情報が前記コピー無しの場合、前記フレーム化部により生成された前記第１の帯域幅のＯＦＤＭフレームまたは前記第２の帯域幅のＯＦＤＭフレームをそのまま出力し、
前記ＩＦＦＴ部は、
前記反復符号化部により出力された前記ＯＦＤＭフレームの信号に対しＩＦＦＴを施し、周波数領域信号を時間領域信号に変換し、
当該ＯＦＤＭ信号送信装置は、
所定地域の送信所及び前記所定地域に隣接する送信所から、前記次世代の放送方式により前記第１の帯域幅の帯域を用いて前記ＯＦＤＭ信号をそれぞれ送信し、
その後に、前記所定地域の送信所から、前記次世代の放送方式により前記第１の帯域幅の帯域を用いて前記ＯＦＤＭ信号を送信し、前記所定の地域に隣接する地域の送信所から、前記次世代の放送方式により前記第２の帯域幅の帯域を用いて、前記反復符号化部により前記反復符号化処理が施された前記ＯＦＤＭフレームの前記ＯＦＤＭ信号を送信する、ことを特徴とするＯＦＤＭ信号送信装置。
【請求項４】
請求項１から３までのいずれか一項に記載のＯＦＤＭ信号送信装置において、
複数の送信アンテナを備え、
前記複数の送信アンテナを介して送信された前記ＯＦＤＭ信号を受信するＯＦＤＭ信号受信装置との間でＭＩＭＯ伝送システムを構成するＯＦＤＭ信号送信装置。
【請求項５】
ＩＳＤＢ−Ｔの放送方式の帯域幅を第１の帯域幅とし、次世代の放送方式の帯域幅を前記第１の帯域幅よりも広い第２の帯域幅とし、前記次世代の放送方式により前記第１の帯域幅の帯域または前記第２の帯域幅の帯域を用いて送信されたＯＦＤＭ信号を受信するＯＦＤＭ信号受信装置であって、
受信した前記ＯＦＤＭ信号に対し、前記第２の帯域幅のフィルタ処理を施し、フィルタ処理後の信号を出力する第１のフィルタと、
前記第１の帯域幅または前記第２の帯域幅が設定された帯域情報を入力し、前記帯域情報が前記第１の帯域幅の場合、前記第１のフィルタにより出力された前記信号に対し、前記第１の帯域幅のフィルタ処理を施し、フィルタ処理後の信号を出力し、前記帯域情報が前記第２の帯域幅の場合、前記第１のフィルタにより出力された前記信号をそのまま出力する第２のフィルタと、
前記第２のフィルタにより出力された前記信号からＧＩを除去するＧＩ除去部と、
前記ＧＩ除去部により前記ＧＩが除去された前記信号に対しＦＦＴを施し、時間領域信号を周波数領域信号に変換するＦＦＴ部と、
前記ＦＦＴ部により変換された前記周波数領域信号の電力を算出し、前記電力に基づいて、前記第１の帯域幅または前記第２の帯域幅を前記帯域情報に設定し、前記帯域情報を前記第２のフィルタに出力する電力算出部と、
前記ＦＦＴ部により変換された前記周波数領域信号に対し、前記次世代の放送方式に適用する復調処理を施す復調部と、を備え、
前記電力算出部は、
前記ＦＦＴ部により変換された前記第２の帯域幅の前記周波数領域信号を入力し、前記所定の指示に従い、前記第２の帯域幅の前記周波数領域信号に基づいて、前記第１の帯域幅の電力を算出すると共に、前記第２の帯域幅の電力を算出する電力算出手段と、
前記電力算出手段により算出された前記第１の帯域幅の電力と前記第２の帯域幅の電力との間の差の絶対値が所定値よりも小さい場合、前記第１の帯域幅の帯域情報を生成し、前記差の絶対値が前記所定値よりも大きい場合、前記第２の帯域幅の帯域情報を生成し、前記帯域情報を前記第２のフィルタに出力する帯域情報生成手段と、を備えたことを特徴とするＯＦＤＭ信号受信装置。
【請求項６】
請求項５に記載のＯＦＤＭ信号受信装置において、
前記復調部は、
前記ＦＦＴ部により変換された前記周波数領域信号から、前記第１の帯域幅の端の信号をコピーするか否かのコピー有りまたはコピー無しを示すコピー情報を含む制御信号を復調する制御信号復調部と、
前記ＦＦＴ部により変換された前記周波数領域信号を等化し、等化信号を出力する等化部と、
前記等化部により出力された前記等化信号を入力し、前記等化信号の各キャリアの尤度を算出し、前記制御信号復調部により復調された前記制御信号に含まれる前記コピー情報が前記コピー有りの場合、前記第２の帯域幅の帯域における反復符号化処理の対象となった端の領域のキャリアのうち、前記第１の帯域幅の帯域に含まれるコピー元のキャリア及び前記第２の帯域幅の帯域に含まれるコピー先のキャリアについての尤度の平均値を算出し、前記平均値を前記コピー元のキャリアの尤度に設定することで、前記第１の帯域幅の帯域における各キャリアの尤度を求め、
前記コピー情報が前記コピー無しの場合、前記等化信号の尤度を、前記第１の帯域幅または前記第２の帯域幅の帯域における各キャリアの尤度とする尤度算出部と、
を備えたことを特徴とするＯＦＤＭ信号受信装置。
【請求項７】
請求項５または６に記載のＯＦＤＭ信号受信装置において、
複数の受信アンテナを備え、
複数の送信アンテナを介して前記ＯＦＤＭ信号を送信するＯＦＤＭ信号送信装置との間でＭＩＭＯ伝送システムを構成するＯＦＤＭ信号受信装置。
【発明の詳細な説明】
【技術分野】
【０００１】
本発明は、ＯＦＤＭ信号の帯域幅を拡大するＯＦＤＭ信号送信装置及びＯＦＤＭ信号受信装置に関する。
【背景技術】
【０００２】
従来、日本の地上デジタル放送方式として、ＩＳＤＢ−Ｔ（Integrated Services Digital Broadcasting−Terrestrial：地上デジタル放送用の統合デジタル放送サービス）が用いられている（例えば非特許文献１を参照）。ＩＳＤＢ−Ｔでは、１つの放送波（チャンネル）に割り当てられる直交周波数分割多重（ＯＦＤＭ：Orthogonal Frequency Division Multiplexing）された複数のサブキャリアの周波数帯域が１３個のセグメントに分割される。
【０００３】
１３個のセグメントのうち１２個のセグメントが、固定受信向けのハイビジョン放送及び複数標準画質放送に用いられ、残りの１セグメントが、移動受信（部分受信）向けの放送に用いられる。
【０００４】
一方、この現行の地上デジタル放送に代わる新たな次世代の地上デジタル放送の検討が進められている。次世代の地上デジタル放送では、家庭等の固定受信向けのために、従来のハイビジョン放送に代わり、３Ｄハイビジョン放送またはハイビジョンの１６倍の解像度を有するスーパーハイビジョン放送等のサービスを提供することが求められている。スーパーハイビジョン放送等のサービスでは、従来のハイビジョン放送よりも情報量が多い。
【０００５】
また、移動受信向けのために、ハイビジョン並みのサービスを提供することが求められている。これらの固定受信向け及び移動受信向けの２つのサービスを、１つのチャンネルを用いて同時に提供する必要があることは、現行のＩＳＤＢ−Ｔと同様である。
【０００６】
さらに、次世代の地上デジタル放送の方式においては、伝送レートを向上させるために、現行のＩＳＤＢ−Ｔの占有帯域幅よりも広い帯域幅を使用する信号形式の検討が進められている。
【先行技術文献】
【非特許文献】
【０００７】
【非特許文献１】ＡＲＩＢ  ＳＴＤ−Ｂ３１、「地上デジタルテレビジョン放送の伝送方式」
【発明の概要】
【発明が解決しようとする課題】
【０００８】
図１（１）は、現行のＯＦＤＭ信号の配置及び帯域幅の例を示す図である。図１（１）に示すように、全てのチャンネルにおいて、現行のＩＳＤＢ−Ｔの信号が用いられている。現行のＩＳＤＢ−Ｔの信号では、１チャンネルの帯域幅である６ＭＨｚのうち、５．５７ＭＨｚが占有帯域幅として確保されており、信号間隔である６／１４ＭＨｚがガードバンドとして確保されている。
【０００９】
また、図１（１）に示した現行のＯＦＤＭ信号の配置においては、ＯＦＤＭ信号受信装置における受信特性の劣化を防ぐため、隣接チャンネルの混信保護比が勧告ＩＴＵ−Ｒ ＢＴ.１３６８にて規定されている。この勧告によれば、下隣接チャンネルの混信保護比は−２６ｄＢ、上隣接チャンネルの混信保護比は−２９ｄＢとなっている。
【００１０】
図１（４）は、次世代のＯＦＤＭ信号の配置及び帯域幅の例を示す図である。図１（４）に示すように、全てのチャンネルにおいて、次世代地上放送の信号が用いられる。次世代地上放送の信号では、１チャンネルの帯域幅である６ＭＨｚのうち、ＩＳＤＢ−Ｔの信号の占有帯域幅５．５７ＭＨｚよりも広い帯域幅が占有帯域幅として検討されている。ここでは、占有帯域幅は５．５７＋αＭＨｚである。αは実数である。
【００１１】
しかしながら、図１（１）に示した現行のＯＦＤＭ信号における配置及び帯域幅から、図１（４）に示した次世代のＯＦＤＭ信号における配置及び帯域幅へ、直ちに変更することは難しい。このため、現行のＯＦＤＭ信号であるＩＳＤＢ−Ｔの信号と次世代のＯＦＤＭ信号である次世代地上放送の信号とが混在する移行期が必要となる。
【００１２】
ここで、両信号が混在する移行期において、次世代地上放送の信号の占有帯域幅として５．５７＋αＭＨｚが確保され、当該占有帯域幅にて次世代地上放送の信号が送信されるものとする。そうすると、隣のチャンネルとの間で混信保護比−２６ｄＢまたは−２９ｄＢが確保されず、ＯＦＤＭ信号受信装置の動作に影響を与えてしまう。このため、移行期のＯＦＤＭ信号においては、次世代地上放送の信号の占有帯域幅として５．５７＋αＭＨｚを確保することができない。
【００１３】
これに対応するために、移行期のＯＦＤＭ信号では、次世代地上放送の信号についても、１チャンネルの帯域幅である６ＭＨｚのうち、ＩＳＤＢ−Ｔの信号と同じ占有帯域幅５．５７ＭＨｚを確保する必要がある。
【００１４】
図１（２）（３）は、現行から次世代へ移行する移行期のＯＦＤＭ信号の配置及び帯域幅の例を示す図である。移行期には、全てのチャンネルの占有帯域幅を５．５７ＭＨｚに固定したまま、ＩＳＤＢ−Ｔの信号を次世代地上放送の信号へ変更することが望ましい。この移行期では、図１（２）に示すように、ＩＳＤＢ−Ｔの信号及び次世代地上放送の信号が各チャンネルに混在する。そして、図１（３）に示すように、全てのチャンネルにおいて、占有帯域幅５．５７ＭＨｚの次世代地上放送の信号が配置される。
【００１５】
そして、移行期の後に、図１（４）に示したように、全てのチャンネルにおいて、次世代地上放送の信号の占有帯域幅を、５．５７ＭＨｚから５．５７＋αＭＨｚへ変更することが望ましい。
【００１６】
そこで、本発明は前記課題を解決するためになされたものであり、その目的は、次世代地上放送の信号の占有帯域幅を、設備の大幅な変更を伴うことなく簡易に拡張可能なＯＦＤＭ信号送信装置及びＯＦＤＭ信号受信装置を提供することにある。
【課題を解決するための手段】
【００１７】
前記課題を解決するために、請求項１のＯＦＤＭ信号送信装置は、ＩＳＤＢ−Ｔの放送方式の帯域幅を第１の帯域幅とし、次世代の放送方式の帯域幅を前記第１の帯域幅よりも広い第２の帯域幅とし、前記次世代の放送方式により前記第１の帯域幅の帯域または前記第２の帯域幅の帯域を用いてＯＦＤＭ信号を送信するＯＦＤＭ信号送信装置であって、送信対象の信号に対し、前記次世代の放送方式に適用する誤り訂正符号化処理を施す誤り訂正符号化部と、前記誤り訂正符号化部により誤り訂正符号化処理が施された前記信号に対し、前記次世代の放送方式に適用するキャリア変調を施し、データキャリアを生成するキャリア変調部と、前記第１の帯域幅の帯域情報または前記第２の帯域幅の帯域情報を含む制御信号を生成する制御信号生成部と、前記制御信号生成部により生成された前記制御信号に含まれる前記帯域情報が前記第１の帯域幅の場合、前記キャリア変調部により生成された前記データキャリアを、前記第１の帯域幅の所定のキャリア位置に設定し、前記第１の帯域幅のＯＦＤＭフレームを生成し、前記帯域情報が前記第２の帯域幅の場合、前記データキャリアを、前記第２の帯域幅の所定のキャリア位置に設定し、前記第２の帯域幅のＯＦＤＭフレームを生成するフレーム化部と、前記フレーム化部により生成された前記ＯＦＤＭフレームの信号に対しＩＦＦＴを施し、周波数領域信号を時間領域信号に変換するＩＦＦＴ部と、前記ＩＦＦＴ部により変換された前記時間領域信号にＧＩを付加するＧＩ付加部と、前記制御信号生成部により生成された前記制御信号に含まれる前記帯域情報が前記第１の帯域幅の場合、前記ＧＩ付加部により前記ＧＩが付加された前記時間領域信号に対し、前記第１の帯域幅のフィルタ処理を施し、前記帯域情報が前記第２の帯域幅の場合、前記ＧＩが付加された前記時間領域信号に対し、前記第２の帯域幅のフィルタ処理を施すフィルタと、を備えたことを特徴とする。
【００１８】
また、請求項２のＯＦＤＭ信号送信装置は、請求項１に記載のＯＦＤＭ信号送信装置において、全てのチャンネルにて、前記次世代の放送方式により前記第１の帯域幅の帯域を用いて前記ＯＦＤＭ信号を送信し、その後に、前記全てのチャンネルにて、前記次世代の放送方式により前記第２の帯域幅の帯域を用いて前記ＯＦＤＭ信号を送信する、ことを特徴とする。
【００１９】
また、請求項３のＯＦＤＭ信号送信装置は、請求項１または２に記載のＯＦＤＭ信号送信装置において、前記ＯＦＤＭ信号が地域毎の送信所から送信される場合に、反復符号化部、前記ＩＦＦＴ部、前記ＧＩ付加部及び前記フィルタを、前記地域毎に備えており、前記制御信号生成部が、前記地域毎の前記帯域情報、及び前記第１の帯域幅の端の信号をコピーするか否かのコピー有りまたはコピー無しを示す前記地域毎のコピー情報を含む制御信号を生成し、前記反復符号化部が、前記制御信号生成部により生成された前記制御信号に含まれる当該地域の前記コピー情報が前記コピー有りの場合、前記フレーム化部により生成された前記第１の帯域幅のＯＦＤＭフレームに対し、前記第１の帯域幅の帯域における所定の端領域の信号をコピーすることで反復符号化処理を施し、前記第２の帯域幅のＯＦＤＭフレームに拡張し、前記第２の帯域幅のＯＦＤＭフレームを出力し、当該地域の前記コピー情報が前記コピー無しの場合、前記フレーム化部により生成された前記第１の帯域幅のＯＦＤＭフレームまたは前記第２の帯域幅のＯＦＤＭフレームをそのまま出力し、前記ＩＦＦＴ部が、前記反復符号化部により出力された前記ＯＦＤＭフレームの信号に対しＩＦＦＴを施し、周波数領域信号を時間領域信号に変換し、当該ＯＦＤＭ信号送信装置が、所定地域の送信所及び前記所定地域に隣接する送信所から、前記次世代の放送方式により前記第１の帯域幅の帯域を用いて前記ＯＦＤＭ信号をそれぞれ送信し、その後に、前記所定地域の送信所から、前記次世代の放送方式により前記第１の帯域幅の帯域を用いて前記ＯＦＤＭ信号を送信し、前記所定の地域に隣接する地域の送信所から、前記次世代の放送方式により前記第２の帯域幅の帯域を用いて、前記反復符号化部により前記反復符号化処理が施された前記ＯＦＤＭフレームの前記ＯＦＤＭ信号を送信する、ことを特徴とする。
【００２０】
また、請求項４のＯＦＤＭ信号送信装置は、請求項１から３までのいずれか一項に記載のＯＦＤＭ信号送信装置において、複数の送信アンテナを備え、前記複数の送信アンテナを介して送信された前記ＯＦＤＭ信号を受信するＯＦＤＭ信号受信装置との間でＭＩＭＯ伝送システムを構成する、ことを特徴とする。
【００２１】
さらに、請求項５のＯＦＤＭ信号受信装置は、ＩＳＤＢ−Ｔの放送方式の帯域幅を第１の帯域幅とし、次世代の放送方式の帯域幅を、前記第１の帯域幅よりも広い第２の帯域幅とし、前記次世代の放送方式により前記第１の帯域幅の帯域または前記第２の帯域幅の帯域を用いて送信されたＯＦＤＭ信号を受信するＯＦＤＭ信号受信装置であって、受信した前記ＯＦＤＭ信号に対し、前記第２の帯域幅のフィルタ処理を施し、フィルタ処理後の信号を出力する第１のフィルタと、前記第１の帯域幅または前記第２の帯域幅が設定された帯域情報を入力し、前記帯域情報が前記第１の帯域幅の場合、前記第１のフィルタにより出力された前記信号に対し、前記第１の帯域幅のフィルタ処理を施し、フィルタ処理後の信号を出力し、前記帯域情報が前記第２の帯域幅の場合、前記第１のフィルタにより出力された前記信号をそのまま出力する第２のフィルタと、前記第２のフィルタにより出力された前記信号からＧＩを除去するＧＩ除去部と、前記ＧＩ除去部により前記ＧＩが除去された前記信号に対しＦＦＴを施し、時間領域信号を周波数領域信号に変換するＦＦＴ部と、前記ＦＦＴ部により変換された前記周波数領域信号の電力を算出し、前記電力に基づいて、前記第１の帯域幅または前記第２の帯域幅を前記帯域情報に設定し、前記帯域情報を前記第２のフィルタに出力する電力算出部と、前記ＦＦＴ部により変換された前記周波数領域信号に対し、前記次世代の放送方式に適用する復調処理を施す復調部と、を備え、前記電力算出部が、前記ＦＦＴ部により変換された前記第２の帯域幅の前記周波数領域信号を入力し、前記所定の指示に従い、前記第２の帯域幅の前記周波数領域信号に基づいて、前記第１の帯域幅の電力を算出すると共に、前記第２の帯域幅の電力を算出する電力算出手段と、前記電力算出手段により算出された前記第１の帯域幅の電力と前記第２の帯域幅の電力との間の差の絶対値が所定値よりも小さい場合、前記第１の帯域幅の帯域情報を生成し、前記差の絶対値が前記所定値よりも大きい場合、前記第２の帯域幅の帯域情報を生成し、前記帯域情報を前記第２のフィルタに出力する帯域情報生成手段と、を備えたことを特徴とする。
【００２２】
また、請求項６のＯＦＤＭ信号受信装置は、請求項５に記載のＯＦＤＭ信号受信装置において、前記復調部が、前記ＦＦＴ部により変換された前記周波数領域信号から、前記第１の帯域幅の端の信号をコピーするか否かのコピー有りまたはコピー無しを示すコピー情報を含む制御信号を復調する制御信号復調部と、前記ＦＦＴ部により変換された前記周波数領域信号を等化し、等化信号を出力する等化部と、前記等化部により出力された前記等化信号を入力し、前記等化信号の各キャリアの尤度を算出し、前記制御信号復調部により復調された前記制御信号に含まれる前記コピー情報が前記コピー有りの場合、前記第２の帯域幅の帯域における反復符号化処理の対象となった端の領域のキャリアのうち、前記第１の帯域幅の帯域に含まれるコピー元のキャリア及び前記第２の帯域幅の帯域に含まれるコピー先のキャリアについての尤度の平均値を算出し、前記平均値を前記コピー元のキャリアの尤度に設定することで、前記第１の帯域幅の帯域における各キャリアの尤度を求め、前記コピー情報が前記コピー無しの場合、前記等化信号の尤度を、前記第１の帯域幅または前記第２の帯域幅の帯域における各キャリアの尤度とする尤度算出部と、を備えたことを特徴とする。
【００２３】
また、請求項７のＯＦＤＭ信号受信装置は、請求項５または６に記載のＯＦＤＭ信号受信装置において、複数の受信アンテナを備え、複数の送信アンテナを介して前記ＯＦＤＭ信号を送信するＯＦＤＭ信号送信装置との間でＭＩＭＯ伝送システムを構成する、ことを特徴とする。
【発明の効果】
【００２４】
以上のように、本発明によれば、次世代地上放送の信号の占有帯域幅を、設備の大幅な変更を伴うことなく簡易に拡張することが可能となる。
【図面の簡単な説明】
【００２５】
【図１】ＯＦＤＭ信号の配置及び帯域幅の例を示す図である。
【図２】一般的なＯＦＤＭ信号送信装置の全体構成例を示すブロック図である。
【図３】一般的な変調装置の構成例を示すブロック図である。
【図４】実施例１の変調装置の構成例を示すブロック図である。
【図５】フレーム化部の構成例を示すブロック図である。
【図６】フィルタの構成例を示すブロック図である。
【図７】実施例１のＯＦＤＭ信号受信装置の構成例を示すブロック図である。
【図８】電力算出器の構成例を示すブロック図である。
【図９】電力算出器の処理例を示すフローチャートである。
【図１０】実施例２において想定する放送ネットワークを説明する図である。
【図１１】実施例２の課題及び効果を説明する図である。
【図１２】実施例２の変調装置の構成例を示すブロック図である。
【図１３】反復符号化部の構成例を示すブロック図である。
【図１４】反復符号化器の処理例を説明する図である。
【図１５】実施例２の復調部の構成例を示すブロック図である。
【図１６】尤度算出部の処理例を示すフローチャートである。
【発明を実施するための形態】
【００２６】
以下、本発明を実施するための形態について図面を用いて詳細に説明する。本発明は、図１に示した例において、図１（３）に示した次世代のＯＦＤＭ信号の占有帯域幅から、図１（４）に示した次世代のＯＦＤＭ信号の占有帯域幅へ拡張する。
【００２７】
以下、図１（３）から図１（４）へ変更する場合、すなわち、全チャンネルに配置された次世代地上放送の信号の占有帯域幅を、５．５７ＭＨｚから５．５７＋αＭＨｚへ変更する場合について詳細に説明する。
【００２８】
〔送信設備（ＯＦＤＭ信号送信装置）〕
まず、一般的な送信設備（ＯＦＤＭ信号送信装置）について説明する。図２は、一般的なＯＦＤＭ信号送信装置の全体構成例を示すブロック図である。このＯＦＤＭ信号送信装置１は、変調装置１０、周波数変換器１１、電力増幅器１２、出力フィルタ１３及び送信アンテナ１４を備えている。
【００２９】
変調装置１０は、送信信号を入力し、送信信号に変調処理を施して時間領域のＩＦ（Intermediate Frequency：中間周波数）信号（中心周波数３７．１５ＭＨｚの信号）を生成し、ＩＦ信号を周波数変換器１１へ出力する。周波数変換器１１は、変調装置１０からＩＦ信号を入力し、ＩＦ信号に周波数変換を施してＲＦ（Radio Frequency：無線周波数）信号（ＵＨＦ帯の信号）を生成し、ＲＦ信号を電力増幅器１２へ出力する。
【００３０】
電力増幅器１２は、周波数変換器１１からＲＦ信号を入力し、ＲＦ信号に電力増幅処理を施し、電力増幅後のＲＦ信号を出力フィルタ１３へ出力する。出力フィルタ１３は、電力増幅器１２から電力増幅後のＲＦ信号を入力し、ＲＦ信号にフィルタ処理を施して帯域外不要放射を除去する。そして、出力フィルタ１３によりフィルタ処理が施されたＲＦ信号は、１本の送信アンテナ１４を介して送出される。これにより、ＯＦＤＭ信号送信装置１からＯＦＤＭ信号が所定の帯域幅の帯域を用いて送信される。
【００３１】
ここで、図１（３）に示した移行期のＯＦＤＭ信号の配置及び帯域幅を、図１（４）に示した次世代のＯＦＤＭ信号の配置及び帯域幅へ変更する場合、すなわち、全チャンネルに配置された次世代地上放送の信号の占有帯域幅を、５．５７ＭＨｚから５．５７＋αＭＨｚへ変更する場合について想定する。図２に示したＯＦＤＭ信号送信装置１において、この変更を実現する構成部は、変調装置１０のみである。
【００３２】
〔変調装置１０〕
次に、一般的な変調装置１０について説明する。図３は、一般的な変調装置１０の構成例を示すブロック図である。この変調装置１０は、誤り訂正符号化部２０、キャリア変調部２１、ＴＭＣＣ信号生成部２２、フレーム化部２３、ＩＦＦＴ（Inverse Fast Fourier Transform：逆高速フーリエ変換）部２４、ＧＩ（Guard Interval：ガードインターバル）付加部２５及びフィルタ２６を備えている。
【００３３】
誤り訂正符号化部２０は、送信信号を入力し、送信信号に所定の誤り訂正符号化処理を施し、誤り訂正符号化後の送信信号をキャリア変調部２１に出力する。
【００３４】
キャリア変調部２１は、誤り訂正符号化部２０から誤り訂正符号化後の送信信号を入力し、送信信号に所定の変調方式によるキャリア変調を施し、データキャリアをフレーム化部２３に出力する。
【００３５】
ＴＭＣＣ信号生成部２２は、符号化率、変調方式、帯域情報等を設定したＴＭＣＣ信号を生成し、ＴＭＣＣ信号をフレーム化部２３に出力する。
【００３６】
フレーム化部２３は、キャリア変調部２１からデータキャリアを入力し、ＴＭＣＣ信号生成部２２からＴＭＣＣ信号を入力し、図示しない構成部からＳＰ信号であるパイロットキャリア等を入力する。そして、フレーム化部２３は、データキャリア、ＴＭＣＣ信号及びパイロットキャリア等を所定のキャリア位置に設定することでＯＦＤＭフレームを生成し、ＯＦＤＭフレームの信号をＩＦＦＴ部２４に出力する。
【００３７】
ＩＦＦＴ部２４は、フレーム化部２３からＯＦＤＭフレームの信号を入力し、ＯＦＤＭフレームの信号にＩＦＦＴを施し、周波数領域信号を時間領域信号に変換する。そして、ＩＦＦＴ部２４は、時間領域信号をＧＩ付加部２５に出力する。
【００３８】
ＧＩ付加部２５は、ＩＦＦＴ部２４から時間領域信号を入力し、時間領域信号にＧＩを付加し、ＧＩを付加した時間領域信号をフィルタ２６に出力する。フィルタ２６は、ＧＩ付加部２５からＧＩが付加された時間領域信号を入力し、時間領域信号に所定帯域幅のフィルタ処理を施すことで、帯域外不要輻射成分を除去し、ＩＦ信号として周波数変換器１１へ出力する。
【００３９】
ここで、全チャンネルに配置された次世代地上放送の信号の占有帯域幅を、図１（３）に示した５．５７ＭＨｚから図１（４）に示した５．５７＋αＭＨｚへ変更する場合、この変更を実現する構成部は、フレーム化部２３及びフィルタ２６である。
【００４０】
以下、実施例１，２を挙げて具体的に説明する。変調装置１０は、次世代地上放送の変調処理を行うものとする。実施例１は、図１（３）から図１（４）へ変更する例、すなわち、全チャンネルに配置された次世代地上放送の信号の帯域幅を、５．５７ＭＨｚから５．５７＋αＭＨｚへ変更する例である。実施例２は、図１（３）に示した次世代地上放送の信号の帯域幅５．５７ＭＨｚと、図１（４）に示した次世代地上放送の信号の帯域幅５．５７＋αＭＨｚとが異なる隣接地域にて放送ネットワークが構成された場合の放送波の干渉を回避する例である。
【００４１】
〔実施例１〕
まず、実施例１について説明する。実施例１は、前述のとおり、図１（３）から図１（４）へ変更する例である。
【００４２】
〔実施例１／変調装置１０〕
実施例１の変調装置１０について説明する。図４は、実施例１の変調装置１０の構成例を示すブロック図である。この変調装置１０−１は、誤り訂正符号化部２０、キャリア変調部２１、ＴＭＣＣ信号生成部２２−１、フレーム化部２３−１、ＩＦＦＴ部２４、ＧＩ付加部２５及びフィルタ２６−１を備えている。
【００４３】
誤り訂正符号化部２０は、送信信号に対し、図１（３）（４）に対応して次世代地上放送に適用する誤り訂正符号化処理を施す。キャリア変調部２１は、誤り訂正符号化後の送信信号に対し、図１（３）（４）に対応して次世代地上放送に適用する変調方式によるキャリア変調を施す。
【００４４】
ＴＭＣＣ信号生成部２２−１は、符号化率、変調方式、帯域情報等を設定したＴＭＣＣ信号を生成する。そして、ＴＭＣＣ信号生成部２２−１は、ＴＭＣＣ信号をフレーム化部２３−１及びフィルタ２６−１に出力する。帯域情報は、帯域幅５．５７ＭＨｚ及び帯域幅５．５７＋αＭＨｚのいずれかを示す情報であり、オペレータにより予め設定される。帯域情報は、図１（３）に示した移行期の場合、帯域幅５．５７ＭＨｚが設定され、図１（４）に示した次世代の場合、帯域幅５．５７＋αＭＨｚが設定される。
【００４５】
フレーム化部２３−１及びフィルタ２６−１に出力されるＴＭＣＣ信号には、帯域情報及びその他の情報が含まれる。帯域情報は、フレーム化部２３−１において、後述する５．５７ＭＨｚ用フレーム化部３１及び５．５７＋αＭＨｚ用フレーム化部３２のいずれかを選択するための切替信号として用いられる。同様に、帯域情報は、フィルタ２６−１において、後述する５．５７ＭＨｚ用フィルタ３４及び５．５７＋αＭＨｚ用フィルタ３５のいずれかを選択するための切替信号として用いられる。
【００４６】
尚、ＴＭＣＣ信号生成部２２−１は、フレーム化部２３−１及びフィルタ２６−１に、帯域情報及びその他の情報を含むＴＭＣＣ信号を出力するようにしたが、帯域情報のみを含むＴＭＣＣ信号を出力するようにしてもよい。
【００４７】
フレーム化部２３−１は、キャリア変調部２１からデータキャリアを入力し、ＴＭＣＣ信号生成部２２−１からＴＭＣＣ信号を入力し、図示しない構成部からＳＰ信号であるパイロットキャリア等を入力する。そして、フレーム化部２３−１は、データキャリア、ＴＭＣＣ信号、パイロットキャリア等を、ＴＭＣＣ信号に含まれる帯域情報が示す帯域幅における所定のキャリア位置及びシンボル位置に設定し、ＯＦＤＭフレームを生成する。そして、フレーム化部２３−１は、ＯＦＤＭフレームの信号をＩＦＦＴ部２４に出力する。
【００４８】
ここで、ＴＭＣＣ信号に含まれる帯域情報が帯域幅５．５７ＭＨｚである場合、フレーム化部２３−１は、データキャリア等が図１（３）に示した帯域幅５．５７ＭＨｚにて送信されるように、ＯＦＤＭフレームを生成する。また、ＴＭＣＣ信号に含まれる帯域情報が帯域幅５．５７＋αＭＨｚである場合、フレーム化部２３−１は、データキャリア等が図１（４）に示した帯域幅５．５７＋αＭＨｚにて送信されるように、ＯＦＤＭフレームを生成する。フレーム化部２３−１の詳細については後述する。
【００４９】
図４に戻って、ＩＦＦＴ部２４は、フレーム化部２３−１からＯＦＤＭフレームの信号を入力し、ＯＦＤＭフレームの信号にＩＦＦＴを施し、周波数領域信号を時間領域信号に変換する。そして、ＧＩ付加部２５は、ＩＦＦＴ部２４から時間領域信号を入力し、時間領域信号にＧＩを付加する。
【００５０】
フィルタ２６−１は、ＧＩ付加部２５からＧＩが付加された時間領域信号を入力すると共に、ＴＭＣＣ信号生成部２２−１からＴＭＣＣ信号を入力する。そして、フィルタ２６−１は、時間領域信号に対し、ＴＭＣＣ信号に含まれる帯域情報が示す帯域幅のフィルタ処理を施すことで、帯域外不要輻射成分を除去し、ＩＦ信号として周波数変換器１１へ出力する。
【００５１】
ここで、ＴＭＣＣ信号に含まれる帯域情報が帯域幅５．５７ＭＨｚである場合、フィルタ２６−１は、帯域幅５．５７ＭＨｚのフィルタ処理を行う。また、ＴＭＣＣ信号に含まれる帯域情報が帯域幅５．５７＋αＭＨｚである場合、フィルタ２６−１は、帯域幅５．５７＋αＭＨｚのフィルタ処理を行う。フィルタ２６−１の詳細については後述する。
【００５２】
これにより、周波数変換器１１、電力増幅器１２及び出力フィルタ１３を介して送信アンテナ１４から、ＯＦＤＭ信号が帯域幅５．５７ＭＨｚまたは５．５７＋αＭＨｚの帯域を用いて送信される。
【００５３】
（フレーム化部２３−１）
次に、図４に示したフレーム化部２３−１について詳細に説明する。図５は、フレーム化部２３−１の構成例を示すブロック図である。このフレーム化部２３−１は、切替器３０、５．５７ＭＨｚ用フレーム化部３１及び５．５７＋αＭＨｚ用フレーム化部３２を備えている。
【００５４】
切替器３０は、キャリア変調部２１からデータキャリアを入力すると共に、ＴＭＣＣ信号生成部２２−１からＴＭＣＣ信号を入力する。そして、切替器３０は、ＴＭＣＣ信号に含まれる帯域情報が示す帯域幅に基づいて、データキャリアの出力先を切り替え、５．５７ＭＨｚ用フレーム化部３１及び５．５７＋αＭＨｚ用フレーム化部３２のいずれかを選択する。
【００５５】
具体的には、切替器３０は、帯域情報が帯域幅５．５７ＭＨｚを示している場合、データキャリアを５．５７ＭＨｚ用フレーム化部３１に出力する。また、切替器３０は、帯域情報が帯域幅５．５７＋αＭＨｚを示している場合、データキャリアを５．５７＋αＭＨｚ用フレーム化部３２に出力する。
【００５６】
５．５７ＭＨｚ用フレーム化部３１は、切替器３０からデータキャリアを入力すると共に、ＴＭＣＣ信号生成部２２−１からＴＭＣＣ信号を入力し、図示しない構成部からＳＰ信号であるパイロットキャリア等を入力する。そして、５．５７ＭＨｚ用フレーム化部３１は、データキャリア、ＴＭＣＣ信号、パイロットキャリア等を、帯域幅５．５７ＭＨｚにおける所定のキャリア位置及びシンボル位置に設定し、ＯＦＤＭフレームを生成する。５．５７ＭＨｚ用フレーム化部３１は、ＯＦＤＭフレームの信号をＩＦＦＴ部２４に出力する。
【００５７】
５．５７＋αＭＨｚ用フレーム化部３２は、切替器３０からデータキャリアを入力すると共に、ＴＭＣＣ信号生成部２２−１からＴＭＣＣ信号を入力し、図示しない構成部からＳＰ信号であるパイロットキャリア等を入力する。そして、５．５７＋αＭＨｚ用フレーム化部３２は、データキャリア、ＴＭＣＣ信号、パイロットキャリア等を、帯域幅５．５７＋αＭＨｚにおける所定のキャリア位置及びシンボル位置に設定し、ＯＦＤＭフレームを生成する。５．５７＋αＭＨｚ用フレーム化部３２は、ＯＦＤＭフレームの信号をＩＦＦＴ部２４に出力する。
【００５８】
このように、フレーム化部２３−１により、ＴＭＣＣ信号に含まれる帯域情報に基づいて、５．５７ＭＨｚ用フレーム化部３１または５．５７＋αＭＨｚ用フレーム化部３２が選択され、帯域幅５．５７ＭＨｚまたは５．５７＋αＭＨｚのＯＦＤＭフレームが生成される。
【００５９】
（フィルタ２６−１）
次に、図４に示したフィルタ２６−１について詳細に説明する。図６は、フィルタ２６−１の構成例を示すブロック図である。このフィルタ２６−１は、切替器３３、５．５７ＭＨｚ用フィルタ３４及び５．５７＋αＭＨｚ用フィルタ３５を備えている。
【００６０】
切替器３３は、ＧＩ付加部２５からＧＩが付加された時間領域信号を入力すると共に、ＴＭＣＣ信号生成部２２−１からＴＭＣＣ信号を入力する。そして、切替器３３は、ＴＭＣＣ信号に含まれる帯域情報が示す帯域幅に基づいて、時間領域信号の出力先を切り替え、５．５７ＭＨｚ用フィルタ３４及び５．５７＋αＭＨｚ用フィルタ３５のいずれかを選択する。
【００６１】
具体的には、切替器３３は、帯域情報が帯域幅５．５７ＭＨｚを示している場合、時間領域信号を５．５７ＭＨｚ用フィルタ３４に出力する。また、切替器３３は、帯域情報が帯域幅５．５７＋αＭＨｚを示している場合、時間領域信号を５．５７＋αＭＨｚ用フィルタ３５に出力する。
【００６２】
５．５７ＭＨｚ用フィルタ３４は、切替器３３から時間領域信号を入力し、時間領域信号に対し、帯域幅５．５７ＭＨｚのフィルタ処理を施すことで、帯域外不要輻射成分を除去し、ＩＦ信号として周波数変換器１１へ出力する。
【００６３】
５．５７＋αＭＨｚ用フィルタ３５は、切替器３３から時間領域信号を入力し、時間領域信号に対し、帯域幅５．５７＋αＭＨｚのフィルタ処理を施すことで、帯域外不要輻射成分を除去し、ＩＦ信号として周波数変換器１１へ出力する。
【００６４】
このように、フィルタ２６−１により、ＴＭＣＣ信号に含まれる帯域情報に基づいて、５．５７ＭＨｚ用フィルタ３４または５．５７＋αＭＨｚ用フィルタ３５が選択され、帯域幅５．５７ＭＨｚまたは５．５７＋αＭＨｚのフィルタ処理が施される。
【００６５】
以上のように、図４に示した実施例１の変調装置１０−１によれば、ＴＭＣＣ信号生成部２２−１は、帯域幅５．５７ＭＨｚまたは５．５７＋αＭＨｚの帯域情報を含むＴＭＣＣ信号を生成する。そして、フレーム化部２３−１は、データキャリア等を、ＴＭＣＣ信号に含まれる帯域情報が示す帯域幅５．５７ＭＨｚまたは５．５７＋αＭＨｚにおける所定のキャリア位置及びシンボル位置に設定し、ＯＦＤＭフレームを生成する。これにより、ＴＭＣＣ信号に含まれる帯域情報が示す帯域幅に従ったフレーム化処理が行われる。
【００６６】
フィルタ２６−１は、時間領域信号に対し、ＴＭＣＣ信号に含まれる帯域情報が示す帯域幅５．５７ＭＨｚまたは５．５７＋αＭＨｚのフィルタ処理を施すことで、帯域外不要輻射成分を除去し、ＩＦ信号を出力する。これにより、ＴＭＣＣ信号に含まれる帯域情報が示す帯域幅に従ったフィルタ処理が行われる。
【００６７】
つまり、フレーム化部２３−１によるフレーム化処理及びフィルタ２６−１によるフィルタ処理の帯域幅を、５．５７ＭＨｚから５．５７＋αＭＨｚへ変更することができる。すなわち、図１（３）に示した移行期のＯＦＤＭ信号の配置及び帯域幅から図１（４）に示した次世代のＯＦＤＭ信号の配置及び帯域幅への変更（全チャンネルに配置された次世代地上放送の信号の占有帯域幅を、５．５７ＭＨｚから５．５７＋αＭＨｚへの変更）を実現することができる。
【００６８】
したがって、次世代地上放送の信号の占有帯域幅を、設備の大幅な変更を伴うことなく簡易に拡張することができ、伝送レートを向上させることができる。
【００６９】
また、ＯＦＤＭ信号の帯域幅が５．５７ＭＨｚ及び５．５７＋αＭＨｚのどちらであっても、帯域情報は、ＴＭＣＣ信号に含まれる情報として後述するＯＦＤＭ信号受信装置２へ送信される。これにより、後述するＯＦＤＭ信号受信装置２は、帯域幅が変更されたことを認識することができる。尚、後述するＯＦＤＭ信号受信装置２は、帯域幅が変更されたことを、ＴＭＣＣ信号から認識するのではなく、受信信号の電力に基づいて認識することもできる。
【００７０】
〔実施例１／ＯＦＤＭ信号受信装置〕
次に、図４に示した実施例１の変調装置１０−１に対応するＯＦＤＭ信号受信装置について説明する。図７は、実施例１のＯＦＤＭ信号受信装置２の構成例を示すブロック図である。このＯＦＤＭ信号受信装置２は、５．５７＋αＭＨｚ用フィルタ４０、切替器４１、５．５７ＭＨｚ用フィルタ４２、ＧＩ除去部４３、ＦＦＴ（Fast Fourier Transform：高速フーリエ変換）部４４、電力算出器４５及び復調部４６を備えている。ＯＦＤＭ信号受信装置２は、実施例１の変調装置１０−１を含むＯＦＤＭ信号送信装置１から送信された、帯域幅５．５７ＭＨｚまたは５．５７＋αＭＨｚの帯域を用いたＯＦＤＭ信号を、図示しない１本の受信アンテナを介して受信する。
【００７１】
５．５７＋αＭＨｚ用フィルタ４０は、受信信号を入力し、受信信号に対し、帯域幅５．５７＋αＭＨｚのフィルタ処理を施すことで、帯域外不要輻射成分を除去し、帯域幅５．５７＋αＭＨｚのフィルタ処理後の受信信号として切替器４１に出力する。
【００７２】
切替器４１は、５．５７＋αＭＨｚ用フィルタ４０から帯域幅５．５７＋αＭＨｚのフィルタ処理後の受信信号を入力すると共に、後述する電力算出器４５から帯域情報を入力する。そして、切替器４１は、帯域情報が示す帯域幅に基づいて、受信信号の出力先を切り替え、ＧＩ除去部４３に直接出力するか、または５．５７ＭＨｚ用フィルタ４２を経由してＧＩ除去部４３に出力するかを選択する。
【００７３】
後述する電力算出器４５から入力する帯域情報は、帯域幅５．５７ＭＨｚ及び帯域幅５．５７＋αＭＨｚのいずれかを示す情報である。帯域情報には、図１（３）に示した移行期の場合、帯域幅５．５７ＭＨｚが設定されており、図１（４）に示した次世代の場合、帯域幅５．５７＋αＭＨｚが設定されている。
【００７４】
具体的には、切替器４１は、帯域情報が帯域幅５．５７ＭＨｚを示している場合、帯域幅５．５７＋αＭＨｚのフィルタ処理後の受信信号を５．５７ＭＨｚ用フィルタ４２に出力する。また、切替器４１は、帯域情報が帯域幅５．５７＋αＭＨｚを示している場合、帯域幅５．５７＋αＭＨｚのフィルタ処理後の受信信号をＧＩ除去部４３に直接出力する。
【００７５】
５．５７ＭＨｚ用フィルタ４２は、切替器４１から帯域幅５．５７＋αＭＨｚのフィルタ処理後の受信信号を入力する。そして、５．５７ＭＨｚ用フィルタ４２は、受信信号に対し、帯域幅５．５７ＭＨｚのフィルタ処理を施すことで、帯域外不要輻射成分を除去し、帯域幅５．５７ＭＨｚのフィルタ処理後の受信信号としてＧＩ除去部４３に出力する。
【００７６】
ＧＩ除去部４３は、切替器４１から帯域幅５．５７＋αＭＨｚのフィルタ処理後の受信信号を入力するか、または５．５７ＭＨｚ用フィルタ４２から帯域幅５．５７ＭＨｚのフィルタ処理後の受信信号を入力する。そして、ＧＩ除去部４３は、受信信号からＧＩを除去し、ＧＩ除去後の受信信号をＦＦＴ部４４に出力する。
【００７７】
ＦＦＴ部４４は、ＧＩ除去部４３からＧＩ除去後の受信信号を入力し、受信信号にＦＦＴを施し、時間領域信号を周波数領域信号に変換する。そして、ＦＦＴ部４４は、周波数領域信号を電力算出器４５に出力する。
【００７８】
電力算出器４５は、ＦＦＴ部４４から周波数領域信号（帯域幅５．５７ＭＨｚまたは５．５７＋αＭＨｚの周波数領域信号）を入力する。ここで、電力算出器４５は、受信信号の帯域幅が５．５７ＭＨｚであるか、または５．５７＋αＭＨｚであるかを検知する受信信号検知処理を行う場合、帯域幅５．５７＋αＭＨｚを設定した帯域情報を前もって切替器４１に出力しておき、ＦＦＴ部４４から帯域幅５．５７＋αＭＨｚの周波数領域信号を入力する。そして、電力算出器４５は、帯域幅５．５７＋αＭＨｚの周波数領域信号に基づいて、帯域幅５．５７ＭＨｚの電力Ａ及び帯域幅５．５７＋αＭＨｚの電力Ｂを算出する。電力算出器４５は、電力Ａ，Ｂに基づいて、受信信号の帯域幅を判定し、帯域情報として帯域幅５．５７ＭＨｚまたは５．５７＋αＭＨｚを設定し、帯域情報を切替器４１に出力する。一方、電力算出器４５は、受信信号検知処理を行わない場合、入力した周波数領域信号（帯域幅５．５７ＭＨｚまたは５．５７＋αＭＨｚの周波数領域信号）をそのまま復調部４６に出力する。電力算出器４５の詳細については後述する。
【００７９】
これにより、帯域情報が帯域幅５．５７ＭＨｚの場合、帯域幅５．５７＋αＭＨｚのフィルタ処理後の受信信号に対し、５．５７ＭＨｚ用フィルタ４２にて帯域幅５．５７ＭＨｚのフィルタ処理が施される。そして、帯域幅５．５７ＭＨｚのフィルタ処理後の受信信号が、ＧＩ除去部４３及びＦＦＴ部４４にて処理され、電力算出器４５を介して、帯域幅５．５７ＭＨｚの周波数領域信号が、復調部４６に出力される。
【００８０】
一方、帯域情報が帯域幅５．５７＋αＭＨｚの場合、帯域幅５．５７＋αＭＨｚのフィルタ処理後の受信信号が、切替器４１を介して、ＧＩ除去部４３及びＦＦＴ部４４にて処理される。そして、電力算出器４５を介して、帯域幅５．５７＋αＭＨｚの周波数領域信号が、復調部４６に出力される。
【００８１】
復調部４６は、電力算出器４５から帯域幅５．５７ＭＨｚの周波数領域信号または帯域幅５．５７＋αＭＨｚの周波数領域信号を入力し、周波数領域信号に対し、次世代地上放送に適用する復調処理を施し、元の送信信号を復元して出力する。
【００８２】
（電力算出器４５）
次に、図７に示した電力算出器４５について詳細に説明する。図８は、電力算出器４５の構成例を示すブロック図であり、図９は、電力算出器４５の処理例を示すフローチャートである。この電力算出器４５は、切替器５０及び受信信号検知手段５１を備えている。受信信号検知手段５１は、電力算出手段５２及び帯域情報生成手段５３を備えている。
【００８３】
電力算出器４５は、例えば所定周期の指示の有無に従って、受信信号検知処理を行うか否かを判定し（ステップＳ９０１）、所定周期の指示を受けて受信信号検知処理を行うと判定した場合（ステップＳ９０１：Ｙ）、ステップＳ９０２へ移行する。一方、電力算出器４５は、ステップＳ９０１において、受信信号検知処理を行わないと判定した場合（ステップＳ９０１：Ｎ）、ステップＳ９１１へ移行する。
【００８４】
受信信号検知手段５１の帯域情報生成手段５３は、ステップＳ９０１から移行して（受信信号検知処理を行う場合（ステップＳ９０１：Ｙ））、例えば所定周期の受信信号検知処理の指示を入力する。そうすると、帯域情報生成手段５３は、その指示のタイミングにて帯域幅５．５７＋αＭＨｚを設定した帯域情報を生成し、帯域情報（５．５７＋αＭＨｚ）を切替器４１に出力する（ステップＳ９０２）。帯域情報（５．５７＋αＭＨｚ）は、切替器４１において、出力先をＧＩ除去部４３へ切り替えるための切替信号として機能する。
【００８５】
これにより、切替器４１は、５．５７＋αＭＨｚ用フィルタ４０から入力した帯域幅５．５７＋αＭＨｚのフィルタ処理後の受信信号を、ＧＩ除去部４３に直接出力する。そして、帯域幅５．５７＋αＭＨｚのフィルタ処理後の受信信号は、ＧＩ除去部４３及びＦＦＴ部４４にて処理され、帯域幅５．５７＋αＭＨｚの周波数領域信号が電力算出器４５に入力される。
【００８６】
したがって、受信信号検知処理中は、ＯＦＤＭ信号受信装置２が帯域幅５．５７＋αＭＨｚのＯＦＤＭ信号を受信している場合だけでなく、帯域幅５．５７ＭＨｚのＯＦＤＭ信号を受信している場合も、５．５７＋αＭＨｚ用フィルタ４０が動作し、５．５７ＭＨｚ用フィルタ４２が動作しない。そして、帯域幅５．５７＋αＭＨｚの周波数領域信号が生成される。
【００８７】
切替器５０は、受信信号検知処理を行う場合、例えば所定周期の受信信号検知処理の指示を入力し、出力先を受信信号検知手段５１に切り替える。切替器５０は、ＦＦＴ部４４から帯域幅５．５７＋αＭＨｚの周波数領域信号を入力し（ステップＳ９０３）、帯域幅５．５７＋αＭＨｚの周波数領域信号を受信信号検知手段５１に出力する。
【００８８】
受信信号検知手段５１の電力算出手段５２は、切替器５０から帯域幅５．５７＋αＭＨｚの周波数領域信号を入力し、帯域幅５．５７＋αＭＨｚの周波数領域信号に基づいて、帯域幅５．５７ＭＨｚの電力Ａを算出する（ステップＳ９０４）。また、電力算出手段５２は、帯域幅５．５７＋αＭＨｚの周波数領域信号に基づいて、帯域幅５．５７＋αＭＨｚの電力Ｂを算出する（ステップＳ９０５）。電力算出手段５２は、帯域幅５．５７ＭＨｚの電力Ａ及び帯域幅５．５７＋αＭＨｚの電力Ｂを帯域情報生成手段５３に出力する。
【００８９】
帯域情報生成手段５３は、電力算出手段５２から帯域幅５．５７ＭＨｚの電力Ａ及び帯域幅５．５７＋αＭＨｚの電力Ｂを入力し、電力Ａと電力Ｂとを比較する（ステップＳ９０６）。
【００９０】
帯域情報生成手段５３は、ステップＳ９０６において、電力Ａと電力Ｂとがほぼ等しいと判定した場合（ステップＳ９０６：Ａ≒Ｂ）、ＯＦＤＭ信号受信装置２の受信信号が帯域幅５．５７ＭＨｚのＯＦＤＭ信号であると検知する（ステップＳ９０７）。電力Ａと電力Ｂとがほぼ等しいとは、例えば、電力Ａと電力Ｂとの間の差の絶対値が所定値以下の場合をいう。そして、帯域情報生成手段５３は、帯域幅５．５７ＭＨｚを設定した帯域情報を生成し、帯域情報（５．５７ＭＨｚ）を切替器４１に出力する（ステップＳ９０８）。帯域情報（５．５７ＭＨｚ）は、切替器４１において、出力先を５．５７ＭＨｚ用フィルタ４２へ切り替えるための切替信号として機能する。
【００９１】
これにより、切替器４１は、５．５７＋αＭＨｚ用フィルタ４０から入力した帯域幅５．５７＋αＭＨｚのフィルタ処理後の受信信号を５．５７ＭＨｚ用フィルタ４２に出力する。そして、５．５７ＭＨｚ用フィルタ４２により、帯域幅５．５７＋αＭＨｚのフィルタ処理後の受信信号に対し帯域幅５．５７ＭＨｚのフィルタ処理が施される。５．５７ＭＨｚ用フィルタ４２によりフィルタ処理された帯域幅５．５７ＭＨｚの受信信号は、ＧＩ除去部４３及びＦＦＴ部４４にて処理され、帯域幅５．５７ＭＨｚの周波数領域信号が電力算出器４５に入力される。したがって、ＯＦＤＭ信号受信装置２が帯域幅５．５７ＭＨｚのＯＦＤＭ信号を受信している場合、５．５７ＭＨｚ用フィルタ４２が動作し、帯域幅５．５７ＭＨｚの周波数領域信号が生成される。
【００９２】
一方、帯域情報生成手段５３は、ステップＳ９０６において、電力Ａが電力Ｂよりも小さいと判定した場合（ステップＳ９０６：Ａ＜Ｂ）、ＯＦＤＭ信号受信装置２の受信信号が帯域幅５．５７＋αＭＨｚのＯＦＤＭ信号であると検知する（ステップＳ９０９）。電力Ａが電力Ｂよりも小さいとは、例えば、電力Ａと電力Ｂとの間の差の絶対値が所定値よりも大きい場合をいう。そして、帯域情報生成手段５３は、帯域幅５．５７＋αＭＨｚを設定した帯域情報を生成し、帯域情報（５．５７＋αＭＨｚ）を切替器４１に出力する（ステップＳ９１０）。帯域情報（５．５７＋αＭＨｚ）は、切替器４１において、出力先をＧＩ除去部４３へ切り替えるための切替信号として機能する。
【００９３】
これにより、切替器４１は、５．５７＋αＭＨｚ用フィルタ４０から入力した帯域幅５．５７＋αＭＨｚのフィルタ処理後の受信信号をＧＩ除去部４３へ直接出力する。そして、帯域幅５．５７＋αＭＨｚのフィルタ処理後の受信信号は、ＧＩ除去部４３及びＦＦＴ部４４にて処理され、帯域幅５．５７＋αＭＨｚの周波数領域信号が電力算出器４５に入力される。
【００９４】
一方、切替器５０は、ステップＳ９０１から移行して（受信信号検知処理を行わない場合（ステップＳ９０１：Ｎ））、所定周期の受信信号検知処理の指示を入力しないことから、出力先を復調部４６に切り替える。切替器５０は、ＦＦＴ部４４から帯域幅５．５７ＭＨｚまたは５．５７＋αＭＨｚの周波数領域信号を入力し（ステップＳ９１１）、帯域幅５．５７ＭＨｚまたは５．５７＋αＭＨｚの周波数領域信号を復調部４６に出力する（ステップＳ９１２）。
【００９５】
これにより、ＯＦＤＭ信号受信装置２が帯域幅５．５７ＭＨｚのＯＦＤＭ信号を受信している場合、復調部４６により、帯域幅５．５７ＭＨｚの周波数領域信号に対し、所定の復調処理が施され、元の送信信号が復元される。また、ＯＦＤＭ信号受信装置２が帯域幅５．５７＋αＭＨｚの信号を受信している場合、復調部４６により、帯域幅５．５７＋αＭＨｚの周波数領域信号に対し、所定の復調処理が施され、元の送信信号が復元される。
【００９６】
以上のように、図７に示した実施例１のＯＦＤＭ信号受信装置２によれば、電力算出器４５は、帯域幅５．５７＋αＭＨｚの周波数領域信号に基づいて、帯域幅５．５７ＭＨｚの電力Ａ及び帯域幅５．５７＋αＭＨｚの電力Ｂを算出する。そして、電力算出器４５は、電力Ａが電力Ｂにほぼ等しい場合、受信信号が帯域幅５．５７ＭＨｚのＯＦＤＭ信号であると検知し、電力Ａが電力Ｂよりも小さい場合、受信信号が帯域幅５．５７＋αＭＨｚのＯＦＤＭ信号であると検知する。これにより、帯域幅が変更されたことを認識することができる。
【００９７】
切替器４１は、受信信号が帯域幅５．５７ＭＨｚのＯＦＤＭ信号であると検知された場合、５．５７ＭＨｚ用フィルタ４２を選択し、帯域幅５．５７ＭＨｚのフィルタ処理を行わせ、受信信号が帯域幅５．５７＋αＭＨｚのＯＦＤＭ信号であると検知された場合、５．５７ＭＨｚ用フィルタ４２を選択しない。
【００９８】
復調部４６は、受信信号が帯域幅５．５７ＭＨｚのＯＦＤＭ信号であると検知された場合、帯域幅５．５７ＭＨｚの周波数領域信号に、次世代地上放送に適用する復調処理を施し、受信信号が帯域幅５．５７＋αＭＨｚのＯＦＤＭ信号であると検知された場合、帯域幅５．５７＋αＭＨｚの周波数領域信号に、次世代地上放送に適用する復調処理を施し、元の送信信号を復元する。
【００９９】
ここで、ＯＦＤＭ信号受信装置２が広い帯域幅の５．５７＋αＭＨｚ用フィルタ４０のみを内蔵した装置であれば、両方の帯域幅５．５７ＭＨｚ，５．５７＋αＭＨｚのＯＦＤＭ信号に対応できる。しかし、帯域幅５．５７ＭＨｚのＯＦＤＭ信号を受信している場合、切替器４１により５．５７ＭＨｚ用フィルタ４２が選択されることで、その受信特性を向上させることが可能となる。
【０１００】
このように、ＯＦＤＭ信号受信装置２は、帯域幅５．５７ＭＨｚのＯＦＤＭ信号を受信して復調処理を行い、元の送信信号を復元することができる。そして、ＯＦＤＭ信号受信装置２は、帯域幅５．５７ＭＨｚのＯＦＤＭ信号を受信している状態から、帯域幅５．５７＋αＭＨｚのＯＦＤＭ信号を受信する状態に変化した場合であっても、帯域幅５．５７＋αＭＨｚのＯＦＤＭ信号を受信して復調処理を行い、元の送信信号を復元することができる。これにより、図１（３）に示した移行期のＯＦＤＭ信号の配置及び帯域幅から図１（４）に示した次世代のＯＦＤＭ信号の配置及び帯域幅への変更（全チャンネルに配置された次世代地上放送の信号の占有帯域幅を、５．５７ＭＨｚから５．５７＋αＭＨｚへの変更）を実現することができる。
【０１０１】
したがって、次世代地上放送の信号の占有帯域幅を、設備の大幅な変更を伴うことなく簡易に拡張することができ、伝送レートを向上させることができる。
【０１０２】
尚、ＯＦＤＭ信号受信装置２は、受信信号の電力を算出することにより、受信信号が帯域幅５．５７ＭＨｚのＯＦＤＭ信号であるか、または帯域幅５．５７＋αＭＨｚのＯＦＤＭ信号であるかを検出するようにした。これに対し、ＯＦＤＭ信号受信装置２は、ＯＦＤＭ信号送信装置１から帯域情報を含むＴＭＣＣ信号等を受信して復調することで、帯域幅を検知するようにしてもよい。後述する実施例２についても同様である。
【０１０３】
〔実施例２〕
次に、実施例２について説明する。実施例２は、前述のとおり、図１（３）に示した次世代地上放送の信号の帯域幅５．５７ＭＨｚと、図１（４）に示した次世代地上放送の信号の占有帯域幅５．５７＋αＭＨｚとが異なる隣接地域にて放送ネットワークが構成された場合の放送波の干渉を回避する例である。
【０１０４】
図１０は、実施例２において想定する放送ネットワークを説明する図であり、図１１は、実施例２の課題及び効果を説明する図である。図１０に示すように、現行の放送ネットワークでは、１つの放送所に設置された変調装置１０から隣接する２つの送信所（Ａ地域送信所及びＢ地域送信所）へ向けて、ＩＦ信号である変調信号を、ＳＴＬ、光回線等を介して送信する。そして、Ａ地域送信所及びＢ地域送信所は、受信した変調信号をＵＨＦ帯の放送波に変換して送出する。
【０１０５】
このような放送ネットワークにおいて、Ａ，Ｂ地域では共に、図１（３）に示したように、次世代地上放送の信号のみとなっている状況があり得る。
【０１０６】
図１１（ａ）を参照して、あるチャンネルにおいて、Ａ，Ｂ地域では、図１（３）に示した移行期（移行終了）における帯域幅５．５７ＭＨｚの次世代地上放送の信号が配置されている状況を想定する。
【０１０７】
この状況の後、図１１（ｂ）を参照して、Ｂ地域において、図１（３）の移行期（移行終了）の状態から図１（４）の次世代の状態へ変更されたとする。そうすると、帯域幅５．５７ＭＨｚの次世代地上放送の信号と帯域幅５．５７＋αＭＨｚの次世代地上放送の信号とが干渉してしまう。
【０１０８】
そこで、実施例２では、このような次世代地上放送の信号の干渉を回避するために、図１（３）に示した移行期（移行終了）の状態と図１（４）に示した次世代の状態との間に、帯域幅５．５７ＭＨｚの帯域の端領域をコピーして帯域幅５．５７＋αＭＨｚに拡張した次世代地上放送の信号が配置される新たな移行期の状態（３）’を追加する。
【０１０９】
図１１（ｃ）を参照して、Ａ地域では、図１（３）に示した移行期（移行終了）における帯域幅５．５７ＭＨｚの次世代地上放送の信号が配置されている状態に対し、Ｂ地域では、（３）’に示すように、帯域幅５．５７＋αＭＨｚの帯域のうち端領域の信号をコピーした次世代地上放送の信号が配置される状態となる。
【０１１０】
これにより、帯域幅５．５７ＭＨｚの次世代地上放送の信号と帯域幅５．５７＋αＭＨｚの次世代地上放送の信号とが干渉することのない状況となる。そして、Ａ地域及びＢ地域の両地域において、図１（４）に示した次世代の状態へ円滑に移行することができる。
【０１１１】
以下、図１１（ａ）に示した次世代地上放送の信号の配置及び帯域幅から、図１１（ｃ）に示した次世代地上放送の信号の配置及び帯域幅へ移行する装置について説明する。
【０１１２】
〔実施例２／変調装置１０〕
次に、実施例２の変調装置１０について説明する。図１２は、実施例２の変調装置１０の構成例を示すブロック図である。この変調装置１０−２は、図１０に示した放送ネットワークに適用する装置であり、誤り訂正符号化部２０、キャリア変調部２１、ＴＭＣＣ信号生成部２２−２、フレーム化部２３−２、反復符号化部６０ａ，６０ｂ、ＩＦＦＴ部２４ａ，２４ｂ、ＧＩ付加部２５ａ，２５ｂ及びフィルタ２６−２ａ，２６−２ｂを備えている。
【０１１３】
誤り訂正符号化部２０及びキャリア変調部２１は、図４に示した実施例１と同様であるから、ここでは説明を省略する。この場合の所定の誤り訂正符号化処理は、次世代地上放送に適用する処理であり、所定の変調方式は、次世代地上放送に適用する方式である。
【０１１４】
ＴＭＣＣ信号生成部２２−２は、符号化率、変調方式、地域毎の帯域情報、地域毎の反復符号化の有無を示すコピー情報等を設定したＴＭＣＣ信号を生成する。そして、ＴＭＣＣ信号生成部２２−２は、ＴＭＣＣ信号をフレーム化部２３−２、反復符号化部６０ａ，６０ｂ及びフィルタ２６−２ａ，２６−２ｂに出力する。地域毎の帯域情報は、本例においてはＡ地域の帯域情報及びＢ地域の帯域情報である。地域毎のコピー情報は、本例においてはＡ地域のコピー情報及びＢ地域のコピー情報である。このコピー情報は、後述する反復符号化部６０ａ，６０ｂに使用され、後述する反復符号化器６２が帯域幅５．５７ＭＨｚの帯域における端領域の信号をコピーして帯域幅５．５７＋αＭＨｚに拡張する場合、コピー有りが設定され、反復符号化器６２が帯域幅５．５７ＭＨｚの帯域における端領域の信号をコピーしない場合、コピー無しが設定される。
【０１１５】
地域毎の帯域情報は、図１１（ａ）の場合、Ａ地域の帯域情報及びＢ地域の帯域情報共に、帯域幅５．５７ＭＨｚが設定される。また、地域毎の帯域情報は、図１１（ｃ）の場合、Ａ地域の帯域情報には帯域幅５．５７ＭＨｚが設定され、Ｂ地域の帯域情報には帯域幅５．５７＋αＭＨｚが設定される。
【０１１６】
地域毎のコピー情報は、図１１（ａ）の場合、Ａ地域のコピー情報及びＢ地域のコピー情報共に、コピー無しが設定される。また、図１１（ｃ）の場合、Ａ地域のコピー情報にはコピー無しが設定され、Ｂ地域のコピー情報にはコピー有りが設定される。
【０１１７】
フレーム化部２３−２、反復符号化部６０ａ，６０ｂ及びフィルタ２６−２ａ，２６−２ｂに出力されるＴＭＣＣ信号には、地域毎の帯域情報、地域毎のコピー情報及びその他の情報が含まれる。この地域毎の帯域情報及び地域毎のコピー情報は、フレーム化部２３−２において、５．５７ＭＨｚ用フレーム化部３１及び５．５７＋αＭＨｚ用フレーム化部３２のいずれかを選択するための切替信号として用いられる。また、地域毎のコピー情報は、反復符号化部６０ａ，６０ｂにおいて、反復符号化器６２を選択するための切替信号として用いられる。また、地域毎の帯域情報は、フィルタ２６−２ａ，２６−２ｂにおいて、５．５７ＭＨｚ用フィルタ３４及び５．５７＋αＭＨｚ用フィルタ３５のいずれかを選択するための切替信号として用いられる。
【０１１８】
尚、ＴＭＣＣ信号生成部２２−２は、反復符号化部６０ａ，６０ｂ及びフィルタ２６−２ａ，２６−２ｂに、地域毎の帯域情報、地域毎のコピー情報及びその他の情報を含むＴＭＣＣ信号を出力するようにした。これに対し、ＴＭＣＣ信号生成部２２−２は、反復符号化部６０ａ，６０ｂに、地域毎のコピー情報のみを含むＴＭＣＣ信号を出力し、フィルタ２６−２ａ，２６−２ｂに、地域毎の帯域情報のみを含むＴＭＣＣ信号を出力するようにしてもよい。
【０１１９】
フレーム化部２３−２は、図５に示した同じ構成にて、キャリア変調部２１からデータキャリアを入力し、ＴＭＣＣ信号生成部２２−２からＴＭＣＣ信号を入力し、図示しない構成部からＳＰ信号であるパイロットキャリア等を入力する。そして、フレーム化部２３−２は、データキャリア、ＴＭＣＣ信号、パイロットキャリア等を、所定の帯域幅における所定のキャリア位置及びシンボル位置に設定し、ＯＦＤＭフレームを生成する。そして、フレーム化部２３−２は、ＯＦＤＭフレームの信号を反復符号化部６０ａ，６０ｂに出力する。
【０１２０】
ここで、図１１（ａ）（ｃ）における所定の帯域幅は、５．５７ＭＨｚである。図１１（ｃ）に示すＢ地域の帯域幅は５．５７＋αＭＨｚであるが、反復符号化器６２において５．５７ＭＨｚから５．５７＋αＭＨｚへ拡張されるから、フレーム化部２３−２における所定の帯域幅は５．５７ＭＨｚである。フレーム化部２３−２は、ＴＭＣＣ信号に含まれる符号化率、変調方式、地域毎の帯域情報、地域毎のコピー情報等に基づいて、ＯＦＤＭ信号が次世代地上放送の信号であり、図１（３）の移行期であることを特定し、所定の帯域幅５．５７ＭＨｚを特定する。尚、ＴＭＣＣ信号には、地域毎に、ＯＦＤＭ信号の種別を示す情報、及び図１（１）〜（４）等の時期を示す情報が含まれるようにしてもよい。
【０１２１】
反復符号化部６０ａ，６０ｂは、フレーム化部２３−２からＯＦＤＭフレームの信号を入力すると共に、ＴＭＣＣ信号生成部２２−２からＴＭＣＣ信号を入力する。そして、反復符号化部６０ａ，６０ｂは、ＴＭＣＣ信号に含まれる地域毎のコピー情報に基づいて、ＯＦＤＭフレームの信号の一部をコピーして帯域幅を拡張するか否かを判定する。反復符号化部６０ａ，６０ｂは、コピーを行う場合、ＯＦＤＭフレームの信号の端領域の信号をコピーして反復符号化処理を行い、コピー後のＯＦＤＭフレームの信号をＩＦＦＴ部２４ａ，２４ｂに出力する。また、反復符号化部６０ａ，６０ｂは、コピーを行わない場合、入力したＯＦＤＭフレームの信号をそのままＩＦＦＴ部２４ａ，２４ｂに出力する。
【０１２２】
ここで、ＴＭＣＣ信号に含まれる地域毎のコピー情報がコピー有りの場合、地域の反復符号化部６０ａ，６０ｂは、帯域幅５．５７ＭＨｚのＯＦＤＭフレームの信号における端領域をコピーして帯域幅５．５７＋αＭＨｚのＯＦＤＭフレームの信号を生成する。また、ＴＭＣＣ信号に含まれる地域毎のコピー情報がコピー無しの場合、対応する地域の反復符号化部６０ａ，６０ｂは、入力したＯＦＤＭフレームの信号をそのまま出力する。
【０１２３】
図１１（ａ）の場合、反復符号化部６０ａ，６０ｂは、フレーム化部２３−２から帯域幅５．５７ＭＨｚのＯＦＤＭフレームの信号を入力すると共に、ＴＭＣＣ信号生成部２２−２から地域毎のコピー情報（コピー無し）を含むＴＭＣＣ信号を入力する。そして、反復符号化部６０ａ，６０ｂは、ＴＭＣＣ信号に含まれる地域毎のコピー情報がコピー無しを示しているから、ＯＦＤＭフレームの信号をコピーしないと判定し、入力した帯域幅５．５７ＭＨｚのＯＦＤＭフレームの信号をそのままＩＦＦＴ部２４ａ，２４ｂに出力する。
【０１２４】
図１１（ｃ）の場合、反復符号化部６０ａは、フレーム化部２３−２から帯域幅５．５７ＭＨｚのＯＦＤＭフレームの信号を入力すると共に、ＴＭＣＣ信号生成部２２−２からＡ地域のコピー情報（コピー無し）を含むＴＭＣＣ信号を入力する。そして、反復符号化部６０ａは、ＴＭＣＣ信号に含まれるＡ地域のコピー情報がコピー無しであるから、ＯＦＤＭフレームの信号をコピーしないと判定し、入力した帯域幅５．５７ＭＨｚのＯＦＤＭフレームの信号をそのままＩＦＦＴ部２４ａに出力する。
【０１２５】
また、反復符号化部６０ｂは、フレーム化部２３−２から帯域幅５．５７ＭＨｚのＯＦＤＭフレームの信号を入力すると共に、ＴＭＣＣ信号生成部２２−２からＢ地域のコピー情報（コピー有り）を含むＴＭＣＣ信号を入力する。そして、反復符号化部６０ｂは、ＴＭＣＣ信号に含まれるＢ地域のコピー情報がコピー有りであるから、ＯＦＤＭフレームの信号をコピーすると判定する。反復符号化部６０ｂは、帯域幅５．５７ＭＨｚのＯＦＤＭフレームの信号における端領域をコピーし、帯域幅５．５７＋αＭＨｚのＯＦＤＭフレームの信号を生成し、帯域幅５．５７＋αＭＨｚのＯＦＤＭフレームの信号をＩＦＦＴ部２４ｂに出力する。
【０１２６】
ＩＦＦＴ部２４ａ，２４ｂ、ＧＩ付加部２５ａ，２５ｂ及びフィルタ２６−２ａ，２６−２ｂは、図４に示した実施例１のＩＦＦＴ部２４、ＧＩ付加部２５及びフィルタ２６−１と同様であるから、ここでは説明を省略する。
【０１２７】
図１１（ａ）の場合、フィルタ２６−２ａ，２６−２ｂは、ＴＭＣＣ信号に含まれる地域毎の帯域情報が帯域幅５．５７ＭＨｚであり、地域毎のコピー情報がコピー無しであるから、入力信号が帯域幅５．５７ＭＨｚの時間領域信号であると判定する。そして、フィルタ２６−２ａ，２６−２ｂは、５．５７ＭＨｚ用フィルタ３４を選択し、帯域幅５．５７ＭＨｚのフィルタ処理を行う。
【０１２８】
図１１（ｃ）の場合、フィルタ２６−２ａは、ＴＭＣＣ信号に含まれるＡ地域の帯域情報が帯域幅５．５７ＭＨｚであり、Ａ地域のコピー情報がコピー無しであるから、入力信号が帯域幅５．５７ＭＨｚの時間領域信号であると判定する。そして、フィルタ２６−２ａは、５．５７ＭＨｚ用フィルタ３４を選択し、帯域幅５．５７ＭＨｚのフィルタ処理を行う。また、フィルタ２６−２ｂは、ＴＭＣＣ信号に含まれるＢ地域の帯域情報が帯域幅５．５７ＭＨｚであり、Ｂ地域のコピー情報がコピー有りであるから、入力信号が帯域幅５．５７＋αＭＨｚの時間領域信号であると判定する。そして、フィルタ２６−２ｂは、５．５７＋αＭＨｚ用フィルタ３５を選択し、帯域幅５．５７＋αＭＨｚのフィルタ処理を行う。
【０１２９】
（反復符号化部６０ａ，６０ｂ）
次に、図１２に示した反復符号化部６０ａ，６０ｂについて詳細に説明する。図１３は、反復符号化部６０ａ，６０ｂの構成例を示すブロック図である。この反復符号化部６０ａ，６０ｂは、切替器６１及び反復符号化器６２を備えている。
【０１３０】
切替器６１は、フレーム化部２３−２からＯＦＤＭフレームの信号を入力すると共に、ＴＭＣＣ信号生成部２２−２からＴＭＣＣ信号を入力する。そして、切替器６１は、ＴＭＣＣ信号に含まれる地域毎のコピー情報に基づいて、受信信号の出力先を切り替え、ＯＦＤＭフレームの信号をＩＦＦＴ部２４ａ，２４ｂに直接出力するか、または反復符号化器６２を経由してＩＦＦＴ部２４ａ，２４ｂに出力するかを選択する。
【０１３１】
具体的には、切替器６１は、当該反復符号化部６０ａ，６０ｂに対応する地域のコピー情報がコピー無しを示している場合、ＯＦＤＭフレームの信号をＩＦＦＴ部２４ａ，２４ｂに直接出力する。また、切替器６１は、コピー情報がコピー有りを示している場合、ＯＦＤＭフレームの信号を反復符号化器６２に出力する。
【０１３２】
反復符号化器６２は、切替器６１からＯＦＤＭフレームの信号を入力する。この場合のＯＦＤＭフレームの信号における帯域幅は、５．５７ＭＨｚである。そして、反復符号化器６２は、帯域幅５．５７ＭＨｚのＯＦＤＭフレームの信号における端領域の信号をコピーすることで反復符号化処理を行い、帯域幅５．５７＋αＭＨｚのＯＦＤＭフレームの信号を生成する。反復符号化器６２は、帯域幅５．５７＋αＭＨｚのＯＦＤＭフレームの信号をＩＦＦＴ部２４ａ，２４ｂに出力する。
【０１３３】
図１４は、反復符号化器６２の処理例を説明する図である。帯域幅５．５７ＭＨｚの帯域のうち、両端の領域Ｓ１，Ｓ２の帯域幅をα／２とし、帯域幅５．５７＋αＭＨｚの帯域のうち、両端の領域Ｓ１’，Ｓ２’の帯域幅をα／２とする。また、帯域幅５．５７ＭＨｚ，５．５７＋αＭＨｚの中央に配置されたその他の領域をＳとする。領域Ｓ１，Ｓ２は、信号のコピー元の領域であり、領域Ｓ１’，Ｓ２’は、信号のコピー先の領域である。
【０１３４】
図１４に示すように、反復符号化器６２は、帯域幅５．５７ＭＨｚのＯＦＤＭフレームの信号における領域Ｓ１の信号を領域Ｓ１’にコピーすると共に、領域Ｓ２の信号を領域Ｓ２’にコピーする。そして、反復符号化器６２は、帯域幅５．５７＋αＭＨｚのＯＦＤＭフレームの信号を生成する。これにより、帯域幅５．５７＋αＭＨｚのＯＦＤＭフレームの信号において、端の領域Ｓ１及び領域Ｓ１’には同じ信号が配置され、端の領域Ｓ２及び領域Ｓ２’にも同じ信号が配置される。
【０１３５】
以上のように、図１２に示した実施例２の変調装置１０−２によれば、実施例１と同様に、次世代地上放送の信号の占有帯域幅を、設備の大幅な変更を伴うことなく簡易に拡張することができ、伝送レートを向上させることができる。
【０１３６】
また、ＴＭＣＣ信号生成部２２−２は、符号化率、変調方式、地域毎の帯域情報、地域毎の反復符号化の有無を示すコピー情報等を設定したＴＭＣＣ信号を生成する。そして、反復符号化部６０ａ，６０ｂは、ＴＭＣＣ信号に含まれる地域毎のコピー情報がコピー有りの場合、ＯＦＤＭフレームの信号の端領域をコピーする。これにより、ＯＦＤＭフレームの信号の帯域幅が５．５７ＭＨｚから５．５７＋αＭＨｚに拡張される。また、反復符号化部６０ａ，６０ｂは、ＴＭＣＣ信号に含まれる地域毎のコピー情報がコピー無しの場合、入力したＯＦＤＭフレームの信号をそのまま出力する。
【０１３７】
これにより、図１０に示した放送ネットワークにおいて、図１１（ｃ）に示したように、帯域幅５．５７ＭＨｚの次世代地上放送の信号がＡ地域へ送信され、帯域幅５．５７＋αＭＨｚの次世代地上放送の信号であって、端領域が反復符号化された信号がＢ地域へ送信される。したがって、図１１（ｂ）に示した放送波の干渉を回避することができると共に、特に、端領域が反復符号化された信号を受信するＢ地域の受信特性を改善することができる。
【０１３８】
〔実施例２／ＯＦＤＭ信号受信装置〕
次に、図１２に示した実施例２の変調装置１０−２に対応するＯＦＤＭ信号受信装置について説明する。実施例２のＯＦＤＭ信号受信装置２は、図７に示した実施例１と同様の構成部を備えている。実施例１のＯＦＤＭ信号受信装置２と実施例２のＯＦＤＭ信号受信装置２とを比較すると、復調部４６の処理が異なる。
【０１３９】
図１５は、実施例２の復調部４６の構成例を示すブロック図である。この復調部４６は、伝送路推定部７０、等化部７１、尤度算出部７２及び誤り訂正復号部７３を備えている。実施例１の復調部４６と実施例２の復調部４６とを比較すると、尤度算出部７２の処理が異なる。
【０１４０】
伝送路推定部７０は、電力算出器４５から周波数領域信号を入力し、周波数領域信号に含まれるＳＰ信号に基づいて、ＯＦＤＭ信号送信装置１との間の伝送路特性を推定する。そして、伝送路推定部７０は、周波数領域信号及び伝送路特性を等化部７１に出力する。
【０１４１】
等化部７１は、伝送路推定部７０から周波数領域信号及び伝送路特性を入力し、伝送路特性に基づいて、周波数領域信号を等化し、等化信号を尤度算出部７２に出力する。
【０１４２】
尤度算出部７２は、等化部７１から等化信号を入力すると共に、電力算出器４５から帯域情報を入力し、さらにコピー情報（当該ＯＦＤＭ信号受信装置２が存在する地域のコピー情報）を入力する。コピー情報は、図示しないＴＭＣＣ信号復調部から入力し、ＴＭＣＣ信号復調部は、既存の処理にて周波数領域信号に基づいてＴＭＣＣ信号を復調し、ＴＭＣＣ信号からコピー情報を抽出する。
【０１４３】
尤度算出部７２は、等化信号に基づいて、帯域情報が示す帯域幅の各キャリアの尤度を算出する。そして、尤度算出部７２は、コピー情報がコピー有りの場合、図１２に示した変調装置１０−２の反復符号化部６０ａ，６０ｂにより反復符号化処理が行われたことを判定する。尤度算出部７２は、帯域幅５．５７＋αＭＨｚの帯域における反復符号化処理の対象となった端の領域のキャリアのうち、コピー元の各キャリアの尤度及びコピー先の各キャリアの尤度を平均化する。尤度算出部７２は、平均化した尤度を、帯域幅５．５７ＭＨｚの帯域に含まれるコピー元の領域に設定し、帯域幅５．５７ＭＨｚの帯域における各キャリアの尤度として誤り訂正復号部７３に出力する。
【０１４４】
一方、尤度算出部７２は、コピー情報がコピー無しの場合、図１２に示した変調装置１０−２の反復符号化部６０ａ，６０ｂにより反復符号化処理が行われていないことを判定する。そして、尤度算出部７２は、帯域幅５．５７ＭＨｚまたは５．５７ＭＨｚの各キャリアの尤度を誤り訂正復号部７３に出力する。
【０１４５】
図１６は、尤度算出部７２の処理例を示すフローチャートである。尤度算出部７２は、等化部７１から各キャリアの等化信号を、電力算出器４５から帯域情報を、図１５には示していないＴＭＣＣ信号復調部からコピー情報をそれぞれ入力する（ステップＳ１６０１）。
【０１４６】
尤度算出部７２は、帯域情報が帯域幅５．５７ＭＨｚであるか、または５．５７＋αＭＨｚであるかを判定する（ステップＳ１６０２）。尤度算出部７２は、ステップＳ１６０２において、帯域情報が帯域幅５．５７＋αＭＨｚであると判定した場合（ステップＳ１６０２：５．５７＋αＭＨｚ）、ステップＳ１６０３へ移行する。一方、尤度算出部７２は、ステップＳ１６０２において、帯域情報が帯域幅５．５７ＭＨｚであると判定した場合（ステップＳ１６０２：５．５７ＭＨｚ）、ステップＳ１６１０へ移行する。
【０１４７】
尤度算出部７２は、帯域情報が帯域幅５．５７＋αＭＨｚの場合、ステップＳ１６０２から移行して、コピー情報がコピー有りであるか、またはコピー無しであるかを判定する（ステップＳ１６０３）。尤度算出部７２は、ステップＳ１６０３において、コピー情報がコピー有りであると判定した場合（ステップＳ１６０３：コピー有り）、ステップＳ１６０４へ移行する。一方、尤度算出部７２は、ステップＳ１６０３において、コピー情報がコピー無しであると判定した場合（ステップＳ１６０３：コピー無し）、ステップＳ１６０８へ移行する。
【０１４８】
これにより、帯域情報が帯域幅５．５７＋αＭＨｚ、かつコピー情報がコピー有りの場合、帯域幅５．５７＋αＭＨｚの各キャリアの等化信号は、図１１（ｃ）に示した（３）’の移行期における次世代地上放送の信号に対する等化信号であることが、尤度算出部７２にて認識される。帯域幅５．５７＋αＭＨｚの帯域の両端には、反復符号化された信号に対する等化信号が含まれる。尤度算出部７２は、ステップＳ１６０４〜ステップＳ１６０７の処理を行う。
【０１４９】
また、帯域情報が帯域幅５．５７＋αＭＨｚ、かつコピー情報がコピー無しの場合、帯域幅５．５７＋αＭＨｚの各キャリアの等化信号は、図１（４）に示した次世代における次世代地上放送の信号に対する等化信号であることが、尤度算出部７２にて認識される。尤度算出部７２は、ステップＳ１６０８及びステップＳ１６０９の処理を行う。
【０１５０】
また、帯域情報が帯域幅５．５７ＭＨｚの場合、帯域幅５．５７ＭＨｚの各キャリアの等化信号は、図１（２）（３）に示した移行期のＩＳＤＢ−Ｔの信号または次世代地上放送の信号に対する等化信号であることが、尤度算出部７２にて認識される。図１０に示した放送ネットワークの例では、次世代地上放送の信号に対する等化信号であることが認識される。尤度算出部７２は、ステップＳ１６１０及びステップＳ１６１１の処理を行う。尚、この場合のコピー情報にはコピー無しが設定されている。
【０１５１】
尤度算出部７２は、帯域情報が帯域幅５．５７＋αＭＨｚ、かつコピー情報がコピー有りの場合、ステップＳ１６０３から移行して、帯域幅５．５７＋αＭＨｚの帯域における図１４に示した領域Ｓ，Ｓ１，Ｓ１’，Ｓ２，Ｓ２’の各キャリアの尤度を算出する（ステップＳ１６０４）。
【０１５２】
尤度算出部７２は、領域Ｓ１の各キャリアの尤度及び領域Ｓ１’の各キャリアの尤度について、その平均値を算出し、当該平均値を領域Ｓ１の各キャリアの尤度に設定する（ステップＳ１６０５）。
【０１５３】
尤度算出部７２は、領域Ｓ２の各キャリアの尤度及び領域Ｓ２’の各キャリアの尤度について、その平均値を算出し、当該平均値を領域Ｓ２の各キャリアの尤度に設定する（ステップＳ１６０６）。
【０１５４】
尤度算出部７２は、帯域幅５．５７ＭＨｚの帯域における領域Ｓ，Ｓ１，Ｓ２の各キャリアの尤度を、誤り訂正復号部７３に出力する（ステップＳ１６０７）。これにより、図１１（ｃ）に示した（３）’の移行期における次世代地上放送の信号について、帯域幅５．５７ＭＨｚの帯域の尤度が出力される。
【０１５５】
尤度算出部７２は、帯域情報が帯域幅５．５７＋αＭＨｚ、かつコピー情報がコピー無しの場合、ステップＳ１６０３から移行して、帯域幅５．５７＋αＭＨｚの帯域における各キャリアの尤度を算出する（ステップＳ１６０８）。
【０１５６】
尤度算出部７２は、帯域幅５．５７＋αＭＨｚの帯域における各キャリアの尤度を誤り訂正復号部７３に出力する（ステップＳ１６０９）。これにより、図１（４）に示した次世代における次世代地上放送の信号について、帯域幅５．５７＋αＭＨｚの帯域の尤度が出力される。
【０１５７】
尤度算出部７２は、帯域情報が帯域幅５．５７ＭＨｚの場合、ステップＳ１６０２から移行して、帯域幅５．５７ＭＨｚの帯域における各キャリアの尤度を算出する（ステップＳ１６１０）。
【０１５８】
尤度算出部７２は、帯域幅５．５７ＭＨｚの帯域における各キャリアの尤度を誤り訂正復号部７３に出力する（ステップＳ１６１１）。これにより、図１（２）（３）に示した移行期におけるＩＳＤＢ−Ｔの信号または次世代地上放送の信号について、帯域幅５．５７ＭＨｚの帯域の尤度が出力される。図１０に示した放送ネットワークの例では、次世代地上放送の信号について、帯域幅５．５７ＭＨｚの帯域の尤度が出力される。
【０１５９】
図１５に戻って、誤り訂正復号部７３は、尤度算出部７２から各キャリアの尤度を入力し、図１２に示した誤り訂正符号化部２０に対応した誤り訂正復号処理を行い、元の送信信号を復元する。
【０１６０】
以上のように、実施例２のＯＦＤＭ信号受信装置２によれば、実施例１と同様に、次世代地上放送の信号の占有帯域幅を、設備の大幅な変更を伴うことなく簡易に拡張することができ、伝送レートを向上させることができる。
【０１６１】
また、復調部４６の尤度算出部７２は、帯域情報が帯域幅５．５７＋αＭＨｚであり、かつコピー情報がコピー有りの場合、送信側にて反復符号化処理が行われたことを判定し、反復対象となった帯域幅５．５７＋αＭＨｚの帯域の端のキャリアを平均化することで、帯域幅５．５７ＭＨｚの各キャリアの尤度を算出する。また、尤度算出部７２は、帯域情報が帯域幅５．５７＋αＭＨｚであり、かつコピー情報がコピー無しの場合、送信側にて反復符号化処理が行われていないことを判定し、帯域幅５．５７＋αＭＨｚの各キャリアの尤度を算出する。また、尤度算出部７２は、帯域情報が帯域幅５．５７ＭＨｚの場合、帯域幅５．５７ＭＨｚの各キャリアの尤度を算出する。
【０１６２】
これにより、図１０に示した放送ネットワークにおいて、Ａ地域に存在する実施例２のＯＦＤＭ信号受信装置２は、図１１（ｃ）の上部に示したように、帯域幅５．５７ＭＨｚの次世代地上放送の信号を受信する。尤度算出部７２は、帯域情報が帯域幅５．５７ＭＨｚであると判定し、帯域幅５．５７ＭＨｚの各キャリアの尤度を算出する。
【０１６３】
この場合、Ａ地域に存在する実施例２のＯＦＤＭ信号受信装置２は、Ｂ地域へ送出された、図１１（ｃ）の下部に示した帯域幅５．５７＋αＭＨｚの次世代地上放送の信号も受信する可能性がある。しかし、これらの次世代地上放送信号は、帯域幅５．５７ＭＨｚの帯域において同じであるから、干渉することはない。
【０１６４】
一方、Ｂ地域に存在する実施例２のＯＦＤＭ信号受信装置２は、図１１（ｃ）の下部に示したように、帯域幅５．５７＋αＭＨｚの次世代地上放送の信号を受信する。尤度算出部７２は、帯域情報が帯域幅５．５７＋αＭＨｚであり、かつコピー情報がコピー有りであると判定し、送信側にて反復符号化処理が行われたことを判定し、反復対象となった帯域幅５．５７＋αＭＨｚの帯域の端のキャリアを平均化することで、帯域幅５．５７ＭＨｚの各キャリアの尤度を算出する。
【０１６５】
この場合、Ｂ地域に存在する実施例２のＯＦＤＭ信号受信装置２は、Ａ地域へ送出された、図１１（ｃ）の上部に示した帯域幅５．５７ＭＨｚの次世代地上放送の信号も受信する可能性がある。しかし、これらの次世代地上放送信号は、帯域幅５．５７ＭＨｚの帯域においては同じであるから、干渉することはない。
【０１６６】
したがって、図１１（ｂ）に示した放送波の干渉を回避することができると共に、特に、端領域が反復符号化された信号を受信するＢ地域の受信特性を改善することができる。
【０１６７】
以上、実施形態を挙げて本発明を説明したが、本発明は前記実施形態に限定されるものではなく、その技術思想を逸脱しない範囲で種々変形可能である。例えば、図４に示した実施例１の変調装置１０−１において、ＴＭＣＣ信号生成部２２−１は、フレーム化部２３−１の切替器３０を切り替えるための帯域情報を含むＴＭＣＣ信号を、フレーム化部２３−１に出力するようにした。また、ＴＭＣＣ信号生成部２２−１は、フィルタ２６−１の切替器３３を切り替えるための帯域情報を含むＴＭＣＣ信号を、フィルタ２６−１に出力するようにした。これに対し、制御信号生成部が、帯域情報を、切り替えのために用いる制御信号として、フレーム化部２３−１及びフィルタ２６−１に出力するようにしてもよい。図１２に示した実施例２の変調装置１０−２についても同様である。この場合の制御信号生成部は、帯域情報を、切り替えのために用いる制御信号として、フレーム化部２３−２及びフィルタ２６−２ａ，２６−２ｂに出力する。
【０１６８】
また、図１２に示した実施例２の変調装置１０−２では、ＴＭＣＣ信号生成部２２−２は、反復符号化部６０ａ，６０ｂの切替器６１を切り替えるためのコピー情報を含むＴＭＣＣ信号を、反復符号化部６０ａ，６０ｂに出力するようにした。これに対し、制御信号生成部が、コピー情報を、切り替えのために用いる制御信号として、反復符号化部６０ａ，６０ｂに出力するようにしてもよい。
【０１６９】
また、図１５に示した復調部４６の尤度算出部７２は、コピー情報を、図１５には示していないＴＭＣＣ信号復調部から入力するようにした。これに対し、尤度算出部７２は、コピー情報を、図１５には示していない制御信号復調部から入力するようにしてもよい。この場合、制御信号復調部は、既存の処理にて周波数領域信号に基づいて制御信号を復調し、制御信号からコピー情報を抽出する。
【０１７０】
尚、ＴＭＣＣ信号生成部２２−１，２２−２及び制御信号生成部は異なる構成部ではなく、広義にはＴＭＣＣ信号生成部２２−１，２２−２が制御信号生成部の一例である。つまり、制御信号生成部には、ＴＭＣＣ信号生成部２２−１，２２−２が含まれる。また、ＴＭＣＣ信号復調部及び制御信号復調部は異なる構成部ではなく、広義にはＴＭＣＣ信号復調部が制御信号復調部の一例である。つまり、制御信号復調部には、ＴＭＣＣ信号復調部が含まれる。
【０１７１】
また、前記実施例１，２では、送信側に１本の送信アンテナ１４を備え、受信側にも１本の受信アンテナを備えるようにした。これに対し、本発明は、送信側に複数の送信アンテナを備え、受信側にも複数の受信アンテナを備えたＭＩＭＯ（Multiple Input Multiple Output）伝送システムにも適用がある。この場合、送信側のＯＦＤＭ信号送信装置１は、送信系統を複数の送信アンテナのそれぞれに対応して、複数系統の構成部を備える。受信側のＯＦＤＭ信号受信装置２は、複数の受信アンテナを介して受信したそれぞれの受信信号をＭＩＭＯ復調する。
【０１７２】
尚、前記実施形態において、図４に示した実施例１の変調装置１０−１の誤り訂正符号化部２０からフィルタ２６−１までの各構成部の処理は、変調装置１０−１に搭載される集積回路であるＬＳＩのチップにより実現されるようにしてもよい。また、図７に示した実施例１のＯＦＤＭ信号受信装置２の５．５７＋αＭＨｚ用フィルタ４０から復調部４６までの各構成部の処理も、ＯＦＤＭ信号受信装置２に搭載される集積回路であるＬＳＩのチップにより実現されるようにしてもよい。また、図１２に示した実施例２の変調装置１０−２の誤り訂正符号化部２０からフィルタ２６−２ａ，２６−２ｂまでの各構成部の処理も、変調装置１０−２に搭載される集積回路であるＬＳＩのチップにより実現されるようにしてもよい。図７に示したＯＦＤＭ信号受信装置２が実施例２に適用される場合も同様である。これらは、個別に１チップ化されていてもよいし、これらの一部または全部が１チップ化されていてもよい。
【０１７３】
また、ＬＳＩの代わりに、集積度の異なるＶＬＳＩ、ＵＬＳＩ等のチップにより実現されるようにしてもよい。さらに、ＬＳＩ等のチップに限るものではなく、専用回路または汎用プロセッサを用いるようにしてもよいし、ＦＰＧＡ（Field Programmable Gate Array）を用いるようにしてもよい。
【符号の説明】
【０１７４】
１  ＯＦＤＭ信号送信装置
２  ＯＦＤＭ信号受信装置
１０  変調装置
１１  周波数変換器
１２  電力増幅器
１３  出力フィルタ
１４  送信アンテナ
２０  誤り訂正符号化部
２１  キャリア変調部
２２  ＴＭＣＣ信号生成部
２３  フレーム化部
２４  ＩＦＦＴ部
２５  ＧＩ付加部
２６  フィルタ
３０，３３，４１，５０，６１  切替器
３１  ５．５７ＭＨｚ用フレーム化部
３２  ５．５７＋αＭＨｚ用フレーム化部
３４，４２  ５．５７ＭＨｚ用フィルタ
３５，４０  ５．５７＋αＭＨｚ用フィルタ
４３  ＧＩ除去部
４４  ＦＦＴ部
４５  電力算出器
４６  復調部
５１  受信信号検知手段
５２  電力算出手段
５３  帯域情報生成手段
６０  反復符号化部
６２  反復符号化器
７０  伝送路推定部
７１  等化部
７２  尤度算出部
７３  誤り訂正復号部
【図１】
2018014679.tif 000003
【図２】
2018014679.tif 000004
【図３】
2018014679.tif 000005
【図４】
2018014679.tif 000006
【図５】
2018014679.tif 000007
【図６】
2018014679.tif 000008
【図７】
2018014679.tif 000009
【図８】
2018014679.tif 000010
【図９】
2018014679.tif 000011
【図１０】
2018014679.tif 000012
【図１１】
2018014679.tif 000013
【図１２】
2018014679.tif 000014
【図１３】
2018014679.tif 000015
【図１４】
2018014679.tif 000016
【図１５】
2018014679.tif 000017
【図１６】
2018014679.tif 000018